(57)【要約】      （修正有）【課題】幼児が乗って遊ぶことができる実際の蒸気機関車を模して縮尺表現した木製の乗用玩具を提供する。【解決手段】木製の板で、車輪、ボイラー、ライト、砂箱、除煙板（デフレクター）、煙突、運転室を実際の蒸気機関車を模して構成し、かつ組み立て後に表面全体を火炎で焼き処理することで質感をさらに実際の蒸気機関車に近づけ、前輪操作用のハンドル３と押すための持ち手１０を設ける。【選択図】図１
0003162874.tif 000002
【実用新案登録請求の範囲】
【請求項１】
木材の板片で、車輪、ボイラー、ライト、砂箱、除煙板、煙突、運転室を模したものを前部に構成し、かつ運転室上部に幼児がまたがって乗れるよう座席部を構成して、座席部の手前には最前部の車輪を操作するハンドルを取り付け、組み立て後に全体の表面を火炎で焼き処理した蒸気機関車型乗用玩具。
【考案の詳細な説明】
【技術分野】
【０００１】
本考案は、木製の蒸気機関車型乗用玩具に関し、より詳しくは蒸気機関車型乗用玩具の表面を、火炎で焼き処理（以下これをバーニング加工という）し、幼児がまたがって乗れる乗用玩具に関するものである。
【背景技術】
【０００２】
従来、蒸気機関車型乗用玩具としては、プラスチックのものや実開昭６３−１３３２９６号公報に記載されたような白木の木製のものが知られている。
【先行技術文献】
【特許文献】
【０００３】
【特許文献１】実開昭６３−１３３２９６号公報
【考案の概要】
【考案が解決しようとする課題】
【０００４】
しかしながら、これらの蒸気機関車型乗用玩具は、実際の蒸気機関車を縮尺表現したようなリアリティーに欠けるため、使用者である幼児が比較的早期に飽きてしまうという問題点を有していた。更にこれらの玩具には構造的に細部が省略されているため、幼児に買い与える大人に昔見た、乗った蒸気機関車とそっくりと言った思い出に誘う魅力を訴えることもできなかった。
【０００５】
本考案は、上記の事情を考慮して生み出されたものであり、その目的とするところは、幼児が喜んで乗るような形状を有し、かつ購入する大人も古きよき思い出に誘う機能を有した蒸気機関車型乗用玩具を提供することにある。
【課題を解決するための手段】
【０００６】
上記課題を解決するために本考案は、車輪、ボイラー、ライト、砂箱、除煙板（デフレクター）、煙突を前部に構成し、かつ運転室を模した上部に幼児がまたがって乗れるよう座席部を設け、座席部の手前には最前部の車輪を操作するハンドルを取り付けた蒸気機関車形状をした乗用玩具でその表面をバーニング加工したものである。
また、本考案では幼児がまたがって乗れる座席部において、着座する座席板が蓋をなし、その下側は箱型空間の収納庫となっており、この座席部の背後には持ち手を取り付けた、幼児が押して移動させることができる乗用玩具でもある。勿論、蒸気機関車の形状をできるだけ細部にわたり忠実に表現したものであって、座席部に幼児がまたがり、ハンドル操作しながら足を前後に動かして蒸気機関車を移動させて遊ぶということを特徴とするものでもある。
【考案の効果】
【０００７】
上記のように蒸気機関車の形状をできるだけ細部にわたり表現し、かつ実際の蒸気機関車の質感に近付けるため、組み立てた乗用玩具を水につけ火炎で茶褐色あるいは黒褐色になるまであぶることとする。組み立て後にあぶった乗用玩具は、年輪にそって焼きムラができるが、そのムラが古びた蒸気機関車の風情を醸し出すのにちょうどよく、表面もあぶる前の板片より柔らかく手触りもよくなるので、より一層幼児が蒸気機関車を運転する感覚で楽しく遊ぶことができるものである。
【０００８】
加えて、この玩具を幼児に買い与える大人（親）も、その形態や色調から古きよき思い出に誘われるという感慨深いものでもある。玩具表面のバーニング加工により、防腐、防食効果が高まり、この玩具を使わない折に植え込みの庭等に置いておけば、ガーデニングの飾り（ディスプレイ）としても役立つものでもある。
また、この蒸気機関車型玩具の後方に炭水車や客車をまねた車輪付き収納庫を連結した場合は、より蒸気機関車を運転しているという感覚に加え、普段遊んでいるおもちゃの収納場所を座席部下側の箱型空間の収納庫ともども確保することができる。
【図面の簡単な説明】
【０００９】
【図１】本考案の実施例を示す全体の斜視図である。
【考案を実施するための形態】
【００１０】
以下、図面に基づき本考案を詳しく説明する。
乗用玩具Ａは、蒸気機関車の車体形状を呈した玩具本体１に、砂箱５、煙突６、ボイラー７、ライト８、除煙板（デフレクター）９がそれぞれ取り付けられており、地面Ｇを転動する２個の前輪２Ａ、２個ないし４個の動輪２Ｂ、２個の後輪２Ｃと、玩具本体1の上面に設けた前輪２Ａを操作するハンドル３と座席部４とで構成される。
座席部４は、運転室を模したもので、上面の着席板は蓋となし、その下側は箱型空間の収納庫となっている。
持ち手１０は座席部４の後部についており、着脱自在である。
【００１１】
乗用玩具Ａは、幼児がまたがった際の過重に十分耐えうる厚み、例えば２４〜３３ｍｍの木材の板片を使い、乗用玩具Ａのデザインにより様々な蒸気機関車の車体形状に形成される。又対象年齢の１〜５歳である幼児がまたがり、足を動かせるよう座席部４は地面Ｇより約２００ｍｍ〜約２３０ｍｍの高さとし、幼児が押して遊べるよう持ち手１０は地面Ｇより約４２０ｍｍとした。
又、本物の蒸気機関車を縮小するため、乗用玩具Ａの長さは約６００ｍｍ〜約８５０ｍｍ近くにした。
蒸気機関車をよりリアルに仕上げるため、窓１２や前輪２Ａ、動輪２Ｂ、後輪２Ｃのリーブバランスは彫るが、安全面を考慮して約４ｍｍまでとした。
座席部４の下の収納庫は、幼児がおもちゃをいれられるよう縦約１３５ｍｍ、横約１８０ｍｍ、深さ約９５ｍｍとした。
【００１２】
この乗用玩具Ａは、組み立てを終えた後一旦水につけ表面全体をバーニング加工し、茶褐色ないし黒褐色になるまであぶるのだが、同時についてしまうススなどの汚れはタワシなどでこすり落とす。
こうしてあぶった乗用玩具Ａの前面、左右側面、後面、上面はどちらから見ても蒸気機関車の魅力が損なわれることはないが、底面や本体内部である座席部４の下の収納庫は木片そのままの風合いがあらわれる。
バーニング加工した乗用玩具Ａは、防腐、防食効果があるので、遊び終わった後にガーデニングの飾り（ディスプレイ）としても有効で、庭先に置いておくこともできる。
【００１３】
さらにこの乗用玩具Ａは、幼児が使用中にとれたり緩んだりすることがないよう、煙突６、砂箱５、玩具本体１は接着剤や木ねじで確実に固定することが好ましい。
【符号の説明】
【００１４】
Ａ  乗用玩具
１  玩具本体
２Ａ  前輪
２Ｂ  動輪
２Ｃ  後輪
３  ハンドル
４  座席部
５  砂箱
６  煙突
７  ボイラー
８  ライト
９  除煙板（デフレクター）
１０  持ち手
１１  運転室
１２  窓
【図１】
0003162874.tif 000003
【手続補正書】
【提出日】平成22年6月10日(2010.6.10)
【手続補正１】
【補正対象書類名】実用新案登録請求の範囲
【補正対象項目名】全文
【補正方法】変更
【補正の内容】
【実用新案登録請求の範囲】
【請求項１】
木材の板片で実物の蒸気機関車と同じ形、又はその特徴を備えた、ボイラー、ライト、砂箱、煙突、運転室を長方形の土台に実物の蒸気機関車の機種と同じ位置に置き、木工用ボンドをつけ、木ネジで固定し、組み立てた後、底面を除く全体の表面を火炎で焼き、軽く炭化させて黒褐色又は茶褐色にさせたことを特徴とする木製蒸気機関車型乗用玩具。
【手続補正２】
【補正対象書類名】図面
【補正対象項目名】全図
【補正方法】変更
【補正の内容】
【図１】
0003162874.tif 000004